(57)【特許請求の範囲】
【請求項１】
建物の躯体に固定され、外壁材に形成された開口部を塞ぐと共に先端部に屋外階段の上部が固定されかつ前記先端部に空洞部が形成された階段接続金物と、
前記空洞部内に設けられ、耐火性を有する耐火部材と、
前記開口部の内縁部と前記階段接続金物の間の隙間を埋めて止水する止水部材と、
を備え、
前記階段接続金物は、
前記躯体に固定される固定部と、
前記固定部と一体に設けられ、前記開口部内に配置され当該開口部を塞ぐ閉塞部と、
を含んで構成され、
前記閉塞部のうち少なくとも前記外壁材を貫通する部分が前記固定部側を開口とする箱形形状を成す箱体であり、前記空洞部は、前記箱体によって形成されている屋外階段接続部構造。
【請求項２】
前記躯体に耐火性を有する耐火材が設けられ、
前記耐火部材は、前記耐火材と連続して設けられている請求項１に記載の屋外階段接続部構造。
【発明の詳細な説明】
【技術分野】
【０００１】
本発明は、屋外階段接続部構造に関する。
【背景技術】
【０００２】
下記特許文献１には、屋外階段を建物の外壁から所定の寸法以内で納めることを可能にする技術が開示されている。具体的には、外壁を構成する外壁材の一部を板厚方向で取除き、当該外壁材において取除かれた部分に屋外階段のささら桁又は側桁の一方をはめ込んだ状態で躯体に当接させることで、その分、外壁材の表面から張り出す屋外階段の張出量を抑えるというものである。
【先行技術文献】
【特許文献】
【０００３】
【特許文献１】特開平１１−１０７４７３号公報
【発明の概要】
【発明が解決しようとする課題】
【０００４】
しかしながら、この先行技術では、外壁材の一部が板厚方向で取除かれているため、建物の耐火性が不十分である。また、この先行技術では、外壁材の一部が板厚方向で取除かれることで建物の防水性が損なわれるため、当該防水性を確保するために別途水切りが設けられている。
【０００５】
本発明は上記事実を考慮し、屋外階段取付用の階段接続金物が躯体に固定された状態で、建物の耐火性能、防水性能を担保することができる屋外階段接続部構造を得ることが目的である。
【課題を解決するための手段】
【０００６】
第１の態様に係る屋外階段接続部構造は、建物の躯体に固定され、外壁材に形成された開口部を塞ぐと共に先端部に屋外階段の上部が固定されかつ前記先端部に空洞部が形成された階段接続金物と、前記空洞部内に設けられ、耐火性を有する耐火部材と、前記開口部の内縁部と前記階段接続金物の間の隙間を埋めて止水する止水部材と、を備え、前記階段接続金物は、前記躯体に固定される固定部と、前記固定部と一体に設けられ、前記開口部内に配置され当該開口部を塞ぐ閉塞部と、を含んで構成され、前記閉塞部のうち少なくとも前記外壁材を貫通する部分が前記固定部側を開口とする箱形形状を成す箱体であり、前記空洞部は、前記箱体によって形成されている。
【０００７】
第１の態様に係る屋外階段接続部構造では、建物の躯体に階段接続金物が固定され、当該階段接続金物によって、外壁材に形成された開口部が塞がれると共に、当該階段接続金物の先端部には、屋外階段の上部が固定されるようになっている。
【０００８】
ここで、階段接続金物の先端部には空洞部が形成されており、空洞部内には耐火性を有する耐火部材が設けられている。このため、例えば、躯体側に耐火被覆材が用いられている場合、階段接続金物の空洞部内に耐火部材が設けられることによって、階段接続金物の有無に拘らず建物の耐火性能を維持することができる。
また、本態様では、階段接続金物は固定部と閉塞部を含んで構成されており、固定部によって階段接続金物が躯体に固定され、外壁材の開口部内に閉塞部が配置された状態で当該開口部は塞がれる。このように、外壁材に開口部を形成することによって、階段接続金物を躯体に直接固定させることができる。これにより、外壁材に屋外階段を固定させた場合と比較して、外壁材の表面から張り出す屋外階段の張出量を小さくすることができる。
ところで、外壁材の開口部の内縁部と階段接続金物の閉塞部の間の隙間に止水部材を埋める際、閉塞部の外面が止水部材の座面を成すことになる。本態様では、閉塞部のうち少なくとも当該外壁材を貫通する部分が、固定部側を開口とする箱形形状を成す箱体となっている。これにより、本態様では、例えば、閉塞部が板状の場合と比較して閉塞部の外周方向の長さを大きくすることができ、その分、止水部材の座りが安定し、止水性が向上する。
【０００９】
また、開口部の内縁部と階段接続金物の間の隙間には止水部材が設けられており、この止水部材によって当該隙間は埋められ止水されている。このように、階段接続金物と外壁材の開口部の隙間が止水部材によって止水されることによって、屋外側から屋内側への雨水などの浸入が防止され、建物の防水性を確保することができる。
【００１０】
第２の態様に係る屋外階段接続部構造は、第１の態様に係る屋外階段接続部構造において、前記躯体に耐火性を有する耐火材が設けられ、前記耐火部材は、前記耐火材と連続的して設けられている。
第２の態様に係る屋外階段接続部構造では、躯体に耐火性を有する耐火材が設けられ、階段接続金物の空洞部内に設けられた耐火部材は、当該耐火材と連続して設けられている。これにより、建物１２の耐火性能を維持することができる。
【００１５】
外壁材の開口部の内縁部と階段接続金物の閉塞部の間の隙間に止水部材を埋める際、閉塞部の外面が止水部材の座面を成すことになる。このため、第４の態様に係る屋外階段接続部構造では、閉塞部が箱形形状を成すことで、例えば、閉塞部が板状の場合と比較して閉塞部の外周方向の長さを大きくすることができる。したがって、その分、止水部材の座りが安定し、止水性が向上する。
【発明の効果】
【００１６】
以上説明したように、本発明に係る屋外階段接続部構造は、屋外階段取付用の階段接続金物が躯体に固定された状態で、建物の耐火性能、防水性能を担保することができる、という優れた効果を有する。
【図面の簡単な説明】
【００１７】
【図１】本実施の形態に係る屋外階段接続部構造の構成を示す分解斜視図である。
【図２】本実施の形態に係る屋外階段接続部構造の構成を示す縦断面図である。
【図３】本実施の形態に係る屋外階段接続部構造の構成を示す正面図である。
【発明を実施するための形態】
【００１８】
以下、図面を用いて、本発明の一実施の形態に係る屋外階段接続部構造について説明する。
【００１９】
（屋外階段接続部構造の構成）
まず、本実施の形態に係る屋外階段接続部構造の構成について説明する。図１〜図３には、本発明の一実施形態に係る屋外階段接続部構造１０の構成が示されている。図１には、屋外階段接続部構造１０の構成を示す分解斜視図が示されており、図２には、屋外階段接続部構造１０の構成を示す縦断面図が示されている。
【００２０】
これらの図に示される屋外階段接続部構造１０が適用された建物１２は、基礎（図示省略）上に複数の鉄骨の柱（図示省略）及び梁１４を組み上げた鉄骨軸組構造の躯体１６で構成されており、当該躯体１６の外側に屋外階段１８が設けられている。なお、図３は、屋外階段接続部構造１０の構成を示す正面図であるが、説明の便宜上、屋外階段１８の図示を省略している。
【００２１】
図１及び図２に示されるように、躯体１６の一部を構成する梁１４にはＨ鋼が用いられている。このため、当該梁１４は、建物１２の高さ方向に沿って配置されたウエブ１４Ａと、ウエブ１４Ａの上端部に設けられ略水平方向に沿って張り出す上フランジ１４Ｂと、ウエブ１４Ａの下端部に設けられ略水平方向に沿って張り出す下フランジ１４Ｃと、で構成されている。
【００２２】
上述のように、本実施形態では、躯体１６の外側に屋外階段１８が設けられるようになっているが、屋外階段取付用の階段接続金物２０が躯体１６に固定された状態で、当該階段接続金物２０を介して屋外階段１８が躯体１６に取付けられる（固定される）ようになっている。
【００２３】
（階段接続金物２０）
ここで、階段接続金物２０について説明する。
【００２４】
図１に示す階段接続金物２０は、アルミニウムなどの金属で形成されており、屋外階段１８の段板１８Ａの長手方向の両端部に設けられる。なお、ここでは段板１８Ａの長手方向の一端部のみが図示されている。階段接続金物２０は、固定部２２及び閉塞部２４を含んで構成されており、閉塞部２４は屋外２６側に配置される。
【００２５】
また、上述のように、図２には、屋外階段接続部構造１０の構成を示す縦断面図が示されているが、各部材（梁１４、階段接続金物２０、屋外階段１８）間の接続構造を分かりやすく示す目的で、階段接続金物２０の閉塞部２４と固定部２２とで切断面の位置を変えている。具体的には、閉塞部２４では、図１に示すＢ−Ｂ線に沿った切断面における縦断図が示されており、固定部２２では図１に示すＡ−Ａ線に沿った切断面における縦断図が示されている。
【００２６】
図１に示されるように、固定部２２は、屋外２６側から見た正面視で、略矩形状を成す立壁部２８を備えている。この立壁部２８は、屋外階段１８の段板１８Ａの長手方向に沿った方向を長手方向として形成されており、立壁部２８の長手方向の両端部かつ下端部からは、屋外２６側へ向かって下壁部３０Ａ、下壁部３０Ｂがそれぞれ延出されている。
【００２７】
また、立壁部２８には固定穴２８Ａ、２８Ｂが形成されており、建物１２の高さ方向に沿って配列されている。この固定穴２８Ａ、２８Ｂに対応して、梁１４のウエブ１４Ａには固定穴３１、３２が形成されている。階段接続金物２０側の固定穴２８Ａ、２８Ｂ及び梁１４側の固定穴３２には、ボルト３４が挿入可能とされており、当該ボルト３４及びナット３５（図２参照）を介して、梁１４のウエブ１４Ａには階段接続金物２０の立壁部２８が締結（固定）される。なお、固定穴３１にはボルト３７が挿入可能とされており、当該ボルト３７及びナット３９を介して、梁１４のウエブ１４Ａに小梁１５を連結させるためのブラケット１７が締結（固定）される。
【００２８】
また、下壁部３０（下壁部３０Ａ、下壁部３０Ｂ）には、固定穴３６がそれぞれ形成されている。この固定穴３６に対応して、梁１４の下フランジ１４Ｃには固定穴３８がそれぞれ形成されている。そして、階段接続金物２０側の固定穴３６及び梁１４側の固定穴３８には、ボルト４０が挿入可能とされており、当該ボルト４０及びナット４１を介して、梁１４の下フランジ１４Ｃには階段接続金物２０の下壁部３０が締結（固定）される。
【００２９】
なお、立壁部２８の長手方向の両端部からは、屋外２６側へ向かって側壁部４２Ａ、４２Ｂがそれぞれ延出されている。この側壁部４２Ａ、４２Ｂはそれぞれ下壁部３０Ａ、３０Ｂと繋がっており、これにより、固定部２２が補強されている。
【００３０】
一方、閉塞部２４は、立壁部２８の略中央部に当該立壁部２８と一体に形成されている。具体的には、例えば、後述する閉塞部２４の脚片４４、４６の先端部が立壁部２８に溶接され、これにより、閉塞部２４と立壁部２８とが一体化されている。
【００３１】
ここで、図３に示されるように、閉塞部２４は、屋外２６側から見た正面視で、建物１２の高さ方向を長手方向とする矩形状を成しており、図１に示されるように、頭部４８と一対の脚片４４、４６とを備えている。頭部４８は箱形形状を成しており、頭部４８内には空洞部５０が設けられている。この空洞部５０は立壁部２８側が開放された状態で形成されており、頭部４８の屋外２６側は、いわゆる箱体の底壁に相当する取付壁５６とされている。この取付壁５６の長手方向に沿った両端側には、固定穴５６Ａが形成されている。
【００３２】
また、頭部４８の外側壁５５は、長手方向に配置された長側壁５２と幅方向に配置された短側壁５４とで構成されており、頭部４８の端面４８Ａのうち、長側壁５２からは上述の脚片４４、４６がそれぞれ延出されている。つまり、脚片４４と脚片４６の間で形成される隙間部５８は、建物１２の高さ方向に沿って貫通しており、当該隙間部５８と空洞部５０とは連通している。
【００３３】
図２にドットで示されるように、躯体１６は、ロックウール等の耐火被覆材５７によって被覆されている。一方、階段接続金物２０の頭部４８内には、空洞部５０が設けられているため、当該空洞部５０内には耐火部材５９が充填されている。
【００３４】
また、躯体１６の屋外２６側には、矩形状の木パネル６０（図１参照）がブラケット６１、６３を介して取付けられている。なお、図１では、ブラケット６１、６３の図示を省略している。ブラケット６１、６３は、アルミニウムなどの金属によってそれぞれ形成されており、躯体１６の一部である梁１４の上フランジ１４Ｂにブラケット６３が固定され、梁１４の下フランジ１４Ｃにブラケット６１が固定されている。そして、当該ブラケット６１、６３を介して木パネル６０が躯体１６に取付けられるようになっている。
【００３５】
具体的に説明すると、ブラケット６１は側面視でクランク状を成しており、ブラケット６１の中央部６１Ａは建物１２の高さ方向に沿って配置されている。また、ブラケット６１の上部６１Ｂ及び下部６１Ｃは略水平方向に沿ってそれぞれ配置されており、ブラケット６１の上部６１Ｂは中央部６１Ａから躯体１６の屋内８４側へ向かって延出され、ブラケット６１の下部６１Ｃは中央部６１Ａから躯体１６の屋外２６側へ向かって延出されている。
【００３６】
ブラケット６１の上部６１Ｂは、図示はしないがボルトや溶接などにより梁１４の下フランジ１４Ｃに固定されている。一方、ブラケット６１の下部６１Ｃは、木パネル６０の下端部６０Ｂに当接し当該木パネル６０を支持している。
【００３７】
また、ブラケット６１の上部６１Ｂには、アルミニウムなどの金属で形成されたブラケット６５が図示はしないボルトや溶接などにより固定されるようになっており、ブラケット６１の下部６１Ｃと対向して配置される。当該ブラケット６５は側面視で略Ｌ字状を成しており、ブラケット６５の一端部６５Ａがブラケット６１の上部６１Ｂに固定され、ブラケット６５の他端部６５Ｂは、木パネル６０の裏面６０Ｃに固定されている。
【００３８】
一方、ブラケット６３は側面視で略Ｌ字状を成しており、ブラケット６３の一端部６３Ａは、ボルト６６及びナット６７を介して梁１４の上フランジ１４Ｂに固定され、ブラケット６３の他端部６３Ｂは、木パネル６０の裏面６０Ｃに固定されている。
【００３９】
以上のようにして、躯体１６の屋外２６側には木パネル６０が取付けられるが、この木パネル６０は外壁材６２を取付けるための下地材となっており、木パネル６０の屋外２６側に外壁材６２が固定されるようになっている。このため、木パネル６０は、外壁材６２の高さ方向に沿って断続的に設けられている。
【００４０】
また、図１に示されるように、木パネル６０及び外壁材６２には、階段接続金物２０の閉塞部２４が挿入可能な開口部６０Ａ、６２Ａがそれぞれ形成されている。そして、図２に示されるように、木パネル６０を介して外壁材６２を躯体１６側に取付けた状態で、木パネル６０の開口部６０Ａ及び外壁材６２の開口部６２Ａからは、階段接続金物２０の閉塞部２４の取付壁５６が屋外２６側に露出している。
【００４１】
つまり、階段接続金物２０の閉塞部２４は、木パネル６０及び外壁材６２が躯体１６側に取付けられた状態で、当該閉塞部２４の取付壁５６が外壁材６２の意匠面６４から凹むことがないよう当該意匠面６４から屋外２６側へ突出する長さとなるように設定されている。さらに、閉塞部２４の頭部４８の端面４８Ａは、木パネル６０及び外壁材６２が躯体１６側に取付けられた状態で、木パネル６０の裏面６０Ｃよりも屋内８４側に配置されるように設定されている。
【００４２】
図２及び図３に示されるように、木パネル６０の開口部６０Ａと階段接続金物２０の閉塞部２４との間には隙間６８が設けられている。当該隙間６８内には止水部材としてのバックアップ材７０が嵌め込まれており、後述する止水部材としてのシール材７２を位置決めする。また、外壁材６２の開口部６２Ａと階段接続金物２０の閉塞部２４との間には、隙間７４が設けられており、隙間７４内にはシール材７２が充填されている。
【００４３】
一方、屋外階段１８の最上段の段板１８Ａの背面側には、建物１２の高さ方向に沿って垂下された階段側取付壁７６を備えた取付ブラケット７８が設けられている。この取付ブラケット７８は、アルミニウムなどの金属で形成されており、取付ブラケット７８の階段側取付壁７６には、階段接続金物２０の取付壁５６に形成された固定穴５６Ａに対応して固定穴８０が形成されている。
【００４４】
そして、屋外階段１８側の固定穴８０及び階段接続金物２０側の固定穴５６Ａには、ボルト８２が挿入可能とされている。階段側取付壁７６にはナット８３（図２参照）が溶接などによって設けられており、当該ボルト８２及びナット８３を介して、階段接続金物２０の取付壁５６に屋外階段１８の取付ブラケット７８が締結（固定）される。
【００４５】
（屋外階段接続部構造の作用・効果）
次に、本実施の形態に係る屋外階段接続部構造の作用・効果について説明する。
【００４６】
図１及び図２に示されるように、本実施形態では、まず、建物１２の躯体１６に階段接続金物２０が固定される。
【００４７】
具体的には、梁１４のウエブ１４Ａに形成された固定穴３２に階段接続金物２０の立壁部２８に形成された固定穴２８Ａ、２８Ｂを重ねた状態で、ボルト３４をナット３５に螺合させ、当該ボルト３４及びナット３５を介して、梁１４のウエブ１４Ａに階段接続金物２０の立壁部２８を固定する。
【００４８】
次に、梁１４の下フランジ１４Ｃに形成された固定穴３８に階段接続金物２０の下壁部３０に形成された固定穴３６を重ねた状態で、ボルト４０をナット４１に螺合させ、当該ボルト４０及びナット４１を介して、梁１４の下フランジ１４Ｃに階段接続金物２０の下壁部３０を固定する。つまり、この状態で、躯体１６の一部を構成する梁１４に階段接続金物２０が固定される。
【００４９】
次に、梁１４の下フランジ１４Ｃに固定されたブラケット６１の下部６１Ｃに木パネル６０の下端部６０Ｂを当接させた状態で、ブラケット６１に固定されたブラケット６５の他端部６５Ｂに木パネル６０の裏面６０Ｃを固定させると共に、梁１４の上フランジ１４Ｂに固定されたブラケット６３の他端部６３Ｂに木パネル６０の裏面６０Ｃを固定させる。
【００５０】
この状態で、木パネル６０に形成された開口部６０Ａ内には、階段接続金物２０の閉塞部２４が配置されている。ここで、躯体１６は、耐火被覆材５７によって被覆されているため、階段接続金物２０の閉塞部２４の空洞部５０内に耐火部材５９を充填する。
【００５１】
また、木パネル６０の屋外２６側には、サイディング材等の外壁材６２が固定されるようになっているが、外壁材６２には、木パネル６０に形成された開口部６０Ａと重なる開口部６２Ａが形成されている。このため、木パネル６０の屋外２６側に外壁材６２が固定された状態で、開口部６０Ａ内には、階段接続金物２０の閉塞部２４が配置される。
【００５２】
このように、木パネル６０及び外壁材６２が躯体１６側に固定された状態で、木パネル６０の開口部６０Ａと階段接続金物２０の閉塞部２４との間の隙間６８内にバックアップ材７０を嵌め込み、外壁材６２の開口部６２Ａと階段接続金物２０の閉塞部２４との間の隙間７４内にシール材７２を充填する。
【００５３】
次に、階段接続金物２０の取付壁５６に形成された固定穴５６Ａに屋外階段１８の取付ブラケット７８に形成された固定穴８０を重ねた状態で、ボルト８２をナット８３に螺合させ、当該ボルト８２及びナット８３を介して、階段接続金物２０に屋外階段１８を固定する。つまり、躯体１６に固定された階段接続金物２０を介して屋外階段１８が躯体１６に固定される。
【００５４】
以上のように、本実施形態では、建物１２の躯体１６に階段接続金物２０が固定され、当該階段接続金物２０によって、木パネル６０及び外壁材６２にそれぞれ形成された開口部６０Ａ、６２Ａが塞がれる。そして、当該階段接続金物２０の先端部に位置する取付壁５６に、屋外階段１８の上部に位置する取付ブラケット７８が固定されるようになっている。
【００５５】
また、本実施形態では、躯体１６は耐火被覆材５７によって被覆されている。階段接続金物２０の閉塞部２４の頭部４８には空洞部５０が設けられているため、当該空洞部５０内に耐火部材５９が充填されることによって、階段接続金物２０の有無に拘らず建物１２の耐火性能を維持することができる。
【００５６】
また、図２及び図３に示されるように、階段接続金物２０の閉塞部２４と外壁材６２の開口部６２Ａの隙間７４にはシール材７２が設けられている。これにより、当該隙間７４は埋められ止水されている。このように、階段接続金物２０と外壁材６２の開口部６２Ａの隙間７４がシール材７２によって止水されることによって、屋外２６側から屋内８４側への雨水などの浸入が防止され、建物１２の防水性を確保することができる。
【００５７】
すなわち、本実施形態では、屋外階段取付用の階段接続金物２０が躯体１６に固定された状態で、建物１２の耐火性能、防水性能を担保することができる。
【００５８】
また、本実施形態では、階段接続金物２０の閉塞部２４と木パネル６０の開口部６０Ａとの間の隙間６８内にはバックアップ材７０が嵌め込まれている。これにより、シール材７２が位置決めされ、シール材７２における止水性がさらに向上する。
【００５９】
ところで、本実施形態では、木パネル６０及び外壁材６２にそれぞれ開口部６０Ａ、６２Ａを形成し、当該開口部６０Ａ、６２Ａを通じて階段接続金物２０の閉塞部２４の取付壁５６を屋外２６側に露出させている。これにより、階段接続金物２０を当該躯体１６に直接固定させることができる。
【００６０】
このため、外壁材６２に屋外階段１８を固定させた場合と比較して、屋外階段１８において、外壁材６２の表面（意匠面）６４から張り出す屋外階段１８の張出量を小さくすることができる。その結果、屋外階段１８を建物１２の外壁材６２から所定の範囲内に納めることができる。
【００６１】
また、本実施形態では、階段接続金物２０は固定部２２と閉塞部２４を含んで構成されており、固定部２２によって階段接続金物２０が躯体１６に固定され、閉塞部２４によって外壁材６２の開口部６２Ａは塞がれる。そして、閉塞部２４の先端部に位置する取付壁５６は、開口部６２Ａを塞いだ状態で外壁材６２の意匠面６４よりも屋外２６側へ突出している。このため、躯体１６側の寸法公差を吸収することができる。
【００６２】
つまり、躯体１６側の寸法公差のプラス側とマイナス側で階段接続金物２０の閉塞部２４の取付壁５６が外壁材６２の意匠面６４から凹んだり突出したりしないようにすることができる。より具体的には、例えば、躯体１６側が寸法公差のプラス側で建物１２が建築された場合、外壁材６２の意匠面６４から階段接続金物２０の閉塞部２４の取付壁５６が凹んだりしないようにすることができる。
【００６３】
一方、例えば、閉塞部２４と外壁材６２の開口部６２Ａの間にバックアップ材７０を嵌め込む際、閉塞部２４の外側壁５５がバックアップ材７０の座面を成すことになる。このため、本実施形態では、閉塞部２４が箱形形状を成すことで、例えば、図示はしないが、閉塞部２４が板状の場合と比較して、閉塞部２４の外周方向の長さを大きくすることができる。したがって、その分、バックアップ材７０の座りが安定し、外壁材６２の止水性が向上する。なお、閉塞部２４は必ずしも箱形形状を成す必要はなく、円筒状を成していてもよい。
【００６４】
また、閉塞部２４の頭部４８の端面４８Ａは、木パネル６０及び外壁材６２が躯体１６側に取付けられた状態で、木パネル６０の裏面６０Ｃよりも屋内８４側に配置されるように設定されている。つまり、外壁材６２の開口部６２Ａ及び木パネル６０の開口部６０Ａを閉塞部２４の頭部４８が貫通した状態となっている。換言すると、当該開口部６２Ａ、６０Ａはシール材７２を介して頭部４８によって塞がれている。このため、外壁材６２の止水性がさらに向上する。
【００６５】
さらに、閉塞部２４の脚片４４と脚片４６の間で形成される隙間部５８は、建物１２の高さ方向に沿って貫通し、当該隙間部５８と空洞部５０とは連通している。このため、木パネル６０が躯体１６側に固定された状態で、当該隙間部５８を通じて閉塞部２４の空洞部５０内に耐火部材５９を充填させることができる。これにより、図示はしないが階段接続金物２０を耐火被覆材で被覆させる必要が無くなる。つまり、耐火被覆材の増し貼りが低減される。なお、閉塞部２４の隙間部５８は、必ずしも建物１２の高さ方向に沿って貫通させる必要はない。
【００６６】
また、本実施形態では、階段接続金物２０を梁１４に固定したが、図示しない柱に固定してもよい。さらに、本実施形態では、鉄骨軸組構造への適用例を説明したが、鉄骨軸組構造以外の工法（例えば、ユニット工法等）による住宅が含まれる他、住宅以外の用途の建物も含まれる。
【００６７】
以上、本発明を実施するための一形態として一実施例を用いて説明したが、本発明はこうした一実施例に何ら限定されるものではなく、本発明の要旨を逸脱しない範囲内において、上述した一実施例に種々の変形及び置換を加えることができる。
【符号の説明】
【００６８】
１０      屋外階段接続部構造
１２      建物
１４      梁（躯体）
１６      躯体
１８      屋外階段
２０      階段接続金物
２２      固定部
２４      閉塞部
２６      屋外
４８      頭部（閉塞部）
５０      空洞部
５６      取付壁（閉塞部の先端部）
５９      耐火部材
６０Ａ    開口部
６２      外壁材
６２Ａ    開口部
６４      意匠面（外壁材の表面）
７２      シール材（止水部材）
７４      隙間
【図１】
0006652335.tif 000002
【図２】
0006652335.tif 000003
【図３】
0006652335.tif 000004